(57)【特許請求の範囲】
【請求項１】
光伝送ネットワーク（OTN）のフレームを送信するフレーム伝送装置であって、
マルチフレームを構成する複数のOTNフレームのペイロードへクライアント信号を収容する際のクライアント信号収容情報を生成する手段と、
第１のマルチフレームを構成する複数のOTNフレームのペイロードへクライアント信号を収容する際の第１のクライアント信号収容情報および第１のマルチフレームよりも後に送信される第２のマルチフレームを構成する複数のOTNフレームのペイロードへクライアント信号を収容する際の第２のクライアント信号収容情報を保持し、第１のクライアント信号収容情報に基づいて第１のマルチフレームを構成する複数のOTNフレームのペイロードへクライアント信号を収容し、第２のクライアント信号収容情報を分割して、第１のマルチフレームの複数のOTNフレームのオーバーヘッドに割り当てる手段と
を備えた、フレーム伝送装置。
【請求項２】
光伝送ネットワーク（OTN）のフレームを受信するフレーム伝送装置であって、
受信したマルチフレームを構成する複数のOTNフレームのオーバーヘッドの少なくとも一部を順次バッファする手段と、
順次バッファした複数のOTNフレームのオーバーヘッドから、マルチフレームを構成する複数のOTNフレームのペイロードにおけるクライアント信号の収容についてクライアント信号収容情報を生成する手段であって、第１のマルチフレームよりも後に受信する第２のマルチフレームを構成する複数のOTNフレームのペイロードにおけるクライアント信号の収容についてのクライアント信号収容情報を、第１のマルチフレームを構成する複数のOTNフレームのオーバーヘッドから生成する、手段と、
マルチフレームを構成する複数のOTNフレームのペイロードからクライアント信号を分離する手段であって、第１のマルチフレームを構成する複数のOTNフレームのオーバーヘッドから生成したクライアント信号収容情報に基づいて、第２のマルチフレームを構成する複数のOTNフレームのペイロードからクライアント信号を分離する、手段と
を備えた、フレーム伝送装置。
【請求項３】
光伝送ネットワーク（OTN）のフレームを送受信するフレーム伝送装置であって、
マルチフレームを構成する複数のOTNフレームのペイロードへクライアント信号を収容する際のクライアント信号収容情報を生成する手段と、
第１のマルチフレームを構成する複数のOTNフレームのペイロードへクライアント信号を収容する際の第１のクライアント信号収容情報および第１のマルチフレームよりも後に送信される第２のマルチフレームを構成する複数のOTNフレームのペイロードへクライアント信号を収容する際の第２のクライアント信号収容情報を保持し、第１のクライアント信号収容情報に基づいて第１のマルチフレームを構成する複数のOTNフレームのペイロードへクライアント信号を収容し、第２のクライアント信号収容情報を分割して、第１のマルチフレームの複数のOTNフレームのオーバーヘッドに割り当てる手段と、
受信したマルチフレームを構成する複数のOTNフレームのオーバーヘッドの少なくとも一部を順次バッファする手段と、
順次バッファした複数のOTNフレームのオーバーヘッドから、マルチフレームを構成する複数のOTNフレームのペイロードにおけるクライアント信号の収容についてクライアント信号収容情報を生成する手段であって、第２のクライアント信号収容情報を、第２のマルチフレームよりも前に受信した第１のマルチフレームを構成する複数のOTNフレームのオーバーヘッドから生成する、手段と、
マルチフレームを構成する複数のOTNフレームのペイロードからクライアント信号を分離する手段であって、第１のマルチフレームを構成する複数のOTNフレームのオーバーヘッドから生成した第２のクライアント信号収容情報に基づいて、第２のマルチフレームを構成する複数のOTNフレームのペイロードからクライアント信号を分離する、手段と、
を備えた、フレーム伝送装置。
【請求項４】
光伝送ネットワーク（OTN）のフレームを送信するフレーム伝送方法であって、
マルチフレームを構成する複数のOTNフレームのペイロードへクライアント信号を収容する際のクライアント信号収容情報を生成することであって、第１のマルチフレームを構成する複数のOTNフレームのペイロードへクライアント信号を収容する際の第１のクライアント信号収容情報および第１のマルチフレームよりも後に送信される第２のマルチフレームを構成する複数のOTNフレームのペイロードへクライアント信号を収容する際の第２のクライアント信号収容情報を生成することを含む、ことと、
第１のクライアント信号収容情報に基づいて第１のマルチフレームを構成する複数のOTNフレームのペイロードへクライアント信号を収容し、第２のクライアント信号収容情報を分割して、第１のマルチフレームの複数のOTNフレームのオーバーヘッドに割り当てることと
を備える、フレーム伝送方法。
【請求項５】
光伝送ネットワーク（OTN）のフレームを受信するフレーム伝送方法であって、
受信したマルチフレームを構成する複数のOTNフレームのオーバーヘッドの少なくとも一部を順次バッファすることと、
順次バッファした複数のOTNフレームのオーバーヘッドから、マルチフレームを構成する複数のOTNフレームのペイロードにおけるクライアント信号の収容についてクライアント信号収容情報を生成することであって、第１のマルチフレームよりも後に受信する第２のマルチフレームを構成する複数のOTNフレームのペイロードにおけるクライアント信号の収容についてのクライアント信号収容情報を、第１のマルチフレームを構成する複数のOTNフレームのオーバーヘッドから生成することを含む、ことと、
マルチフレームを構成する複数のOTNフレームのペイロードからクライアント信号を分離することであって、第１のマルチフレームを構成する複数のOTNフレームのオーバーヘッドから生成したクライアント信号収容情報に基づいて、第２のマルチフレームを構成する複数のOTNフレームのペイロードからクライアント信号を分離することを含む、ことと
を備える、フレーム伝送方法。
【請求項６】
光伝送ネットワーク（OTN）のフレームを送信するフレーム伝送方法であって、
マルチフレームを構成する複数のOTNフレームのペイロードへクライアント信号を収容する際のクライアント信号収容情報を生成することであって、第１のマルチフレームを構成する複数のOTNフレームのペイロードへクライアント信号を収容する際の第１のクライアント信号収容情報および第１のマルチフレームよりも後に送信される第２のマルチフレームを構成する複数のOTNフレームのペイロードへクライアント信号を収容する際の第２のクライアント信号収容情報を生成することを含む、ことと、
第１のクライアント信号収容情報に基づいて第１のマルチフレームを構成する複数のOTNフレームのペイロードへクライアント信号を収容し、第２のクライアント信号収容情報を分割して、第１のマルチフレームの複数のOTNフレームのオーバーヘッドに割り当てることと、
受信したマルチフレームを構成する複数のOTNフレームのオーバーヘッドの少なくとも一部を順次バッファすることと、
順次バッファした複数のOTNフレームのオーバーヘッドから、マルチフレームを構成する複数のOTNフレームのペイロードにおけるクライアント信号の収容についてクライアント信号収容情報を生成することであって、第１のマルチフレームよりも後に受信する第２のマルチフレームを構成する複数のOTNフレームのペイロードにおけるクライアント信号の収容についての第２のクライアント信号収容情報を、第１のマルチフレームを構成する複数のOTNフレームのオーバーヘッドから生成することを含む、ことと、
マルチフレームを構成する複数のOTNフレームのペイロードからクライアント信号を分離することであって、第１のマルチフレームを構成する複数のOTNフレームのオーバーヘッドから生成した第２のクライアント信号収容情報に基づいて、第２のマルチフレームを構成する複数のOTNフレームのペイロードからクライアント信号を分離することを含む、ことと
を備える、フレーム伝送方法。
【発明の詳細な説明】
【技術分野】
【０００１】
本発明は、デジタルデータを格納したフレームを伝送するフレーム伝送装置および方法に関し、より詳細には、基幹通信網で用いられる通信規格である「光伝送網」（Optical Transport Network、OTN）に準拠したフレームを伝送するフレーム伝送装置およびフレーム伝送方法に関する。
【背景技術】
【０００２】
現在の基幹通信網では、国際標準化機関である「国際電気通信連合−電気通信標準化部門」（International Telecommunication Union - Telecommunication Standardization Sector、ITU-T）が勧告した「光伝送網」（Optical Transport Network、OTN）という光伝送規格が、広く利用されている。OTNは、波長多重（Wavelength Division Multiplex、WDM）信号の管理を意識した監視制御系、イーサネット（登録商標）や同期デジタルハイアラーキ（Synchronous Digital Hierarchy、SDH）などの多様なクライアント信号を収容して透過的に転送するためのビットレートやマッピング方式などを規定している。（非特許文献１参照）
【０００３】
図１は、OTNのフレーム構造を説明する図である。なお、OTNフレームを構成する各種フレームの冒頭には、データを伝送する際に用いられるアドレス情報や各種監視信号を格納するオーバーヘッドが付与されるが、以下ではオーバーヘッドをＯＨと略し、ＯＨに格納されて伝送される情報や信号をＯＨ情報と略して説明する。OPUkフレーム１１０は、イーサネット（登録商標）やSDHなどのクライアント信号１００が収容されたペイロード領域１１２と、クライアント信号の収容情報を提供するＯＨであるOPUk（Optical Channel Payload Unit-k）OH領域１１４で構成される。OPUkフレーム１１０には、エンド・ツー・エンドのパス監視やパフォーマンスモニタのための信号を提供する（格納する）ＯＨであるODUk（Optical Channel Data Unit-k）OH１２４が付与され、ODUkフレーム１２０が構成される。ODUkフレーム１２０には、３Ｒ再生（Re-amplification, reshaping, retiming）ポイント間の信号伝送である光チャネルの伝送に必要な保守・運用機能のための信号を提供する（格納する）OTUk（Optical Channel Transport Unit-k）ＯＨ１３４と、前方誤り訂正（Forward Error Correction、FEC）機能を提供するためのコード１３６が付与され、OTUkフレーム１３０が構成される。
【０００４】
OTNには、複数のOTNフレームを１まとまりとし、この１まとまりのOTNフレームで所定のＯＨ情報を送信する機能が備わる。この所定のＯＨ情報の送信に用いられる複数のOTNフレームは「マルチフレーム」と呼ばれ、マルチフレームを構成する複数のOTNフレームを用いて所定のＯＨ情報を伝送することをマルチフレーム化と呼ぶ。
【０００５】
以下、複数のOPUk OHを用いて送信される「多重構造拡張子」（Multiplex Structure Identifier、MSI）を例にとり、マルチフレームの概念を説明する。
【０００６】
図２（ａ）は、図１で説明したOTNフレーム構造をより詳細に説明する図である。OTNフレームの冒頭１行目の１〜７列にはフレーム同期（Frame Alignment、FA）OH２３０が定義され、それに続く１行目の８〜１４列にはOTUk OH１３４が定義されている。２〜４行目の１〜１４列にはODUk OH１２４が定義されている。１〜４行目の１５〜１６列にはOPUk OH１１４が定義され、１〜４行目の１７〜３８２４列にはペイロード１１２が定義される。１〜４行目の３８２５〜４０８０列にはOTUk FECコード１３６が定義される。
【０００７】
図２（ｂ）は、OTNフレームにおけるFA OH２３０の構成を示している。FA OHは、最初の６バイト（OTNフレームの１行目１〜６列に相当）にフレーム同期信号（Frame Alignment Signal、FAS）２３２が定義され、それに続く１バイト（同１行目７列に相当）にマルチフレーム同期信号（Multi-Frame Alignment Signal、MFAS）２３４が定義されている。MFASはカウンタと同等のものであり、MFASの値（MFAS値）は、１つのOTNフレーム１３０を送信する度に０（ビット列で「0000 0000」）から２５５（同「1111 1111」）のまでインクリメントされて付与される。MFAS値は、２５５に達すると再び０に戻ってインクリメントされる。MFAS値が０のOTNフレームから同２５５番のOTNフレームまでの１まとまりは「マルチフレーム」を構成し得る。
【０００８】
図２（ｃ）は、OPUk OH１１４のより詳細な構成であって、特に複数のOPU4 OHを用いて送信されるOPU4 OHの情報の構成を示している。OPU4 OHの情報は、マルチフレーム化されて伝送されるＯＨ情報である。OTNフレームの１〜３行目の１５、１６列のそれぞれは、スタッフ制御（Justification Control、JC）バイトが定義されている。OTNフレームの４行目の１５列にはペイロード構造識別子（Payload Structure Identifier、PSI）が定義され、４行目の１６列にはOPUマルチフレーム識別子（OPU Multi-Frame Identifier、OMFI）が定義されている。１つのOTNフレーム１３０には、１つのPSI（１バイト、PSIバイトと呼ぶ）しか定義されていないが、１つのマルチフレームを構成する２５６個のOTNフレームで送信されるPSIバイトを集積することで、図２（ｃ）の右図に示したようなＯＨ情報（OPU4 OHの情報（合計２５６バイト））が形成される。このように、２５６個のOTNフレームで構成されるマルチフレームを用いてマルチフレーム化されて伝送されるOPU4 OHの情報は、ＯＨ情報の１つである。
【０００９】
OPU4 OHの情報のうちで、MFAS２３４の値が２から８１までのOTNフレームのPSIバイトを集積することで得られる８０バイトは、多重構造拡張子（Multiplex Structure Identifier、MSI）２４４を構成する。MSIには、OPUkペイロード１１２にクライアント信号がどのように収容されているかを示す情報が格納されている。より詳細には、MSIの各バイトは、トリビュタスロット（TS）がOPUkペイロード１１２に配置されるかどうか、TSが配置される場合には当該TSのトリビュタリポートの番号（TSの宛先（TSに収容されたクライアントの番号））を示す。TSは、クライアント信号をマッピングしたトリビュタリユニットがさらにマッピングされるスロットである。
【００１０】
以上述べたとおり、OTNは、多様なクライアント信号を収容してネットワークを伝送する機能を提供しているが、クライアント信号の収容情報は、１マルチフレームから得られる８０バイトのMSIを用いてフレーム伝送装置間で共有される。送信側のフレーム伝送装置は、制御部から提供された８０バイトのMSIから図２（ｃ）の右図に記載された２５６バイトのＯＨ情報（OPU4 OHの情報）を形成し、FA OHにおけるMFASの値が０に設定されるOTNフレームのPSIバイトに当該ＯＨ情報の１バイト目を、MFASの値が１に設定されるOTNフレームのPSIバイトに当該ＯＨ情報の２バイト目を、・・・MFASの値が２５５に設定されるOTNフレームのPSIバイトにＯＨ情報の２５６バイト目を、順次付与する。
【００１１】
他方、受信側のフレーム伝送装置は、受信したOTNフレームの各OHに基づいて、２５６バイトからなるPSI（ＯＨ情報であるOPU4 OHの情報（図２（ｃ）右））とそこに含まれる８０バイトのMSIを形成し、形成したMSIに基づき、OTNフレームからクライアント信号を分離する。
【００１２】
図３（ａ）〜（ｃ）は、受信側のフレーム伝送装置のOTNフレーマにおけるクライアント信号分離処理を説明する図である。フレーム伝送装置のOTNフレーマは、受信バッファ３８６と、制御部３８２と、分離器３８８とを備える。通常、フレーム伝送装置はOTNフレームを送信する機能と受信する機能の双方を備えるが、説明の簡略化のため、受信機能のみを備えた構成であるとして説明する。OTNフレーマの受信バッファ３８６は、受信したOTNフレームを順次格納し、MSIを正しく認識するために必要な少なくとも１マルチフレーム分（すなわち２５６個）のOTNフレームを格納する（ステップｂ１）（図３（ａ））。少なくとも１マルチフレーム分のOTNフレームが受信バッファ３８６に格納されると、制御部３８２は、１マルチフレーム分のOTNフレームのPSIバイトを集積して、２５６バイトのPSI（ＯＨ情報）を形成し、PSIに含まれる８０バイトのMSIを形成する（ステップｂ２）（図３（ｂ））。PSIに含まれる８０バイトのMSIが分離器３８８へ提供される。分離器３８８は、制御部から提供されたMSIに基づき、受信バッファ３８６に格納された１マルチフレーム分のOTNフレームの各々からクライアント信号を分離する（ステップｂ３）（図３（ｃ））。
【先行技術文献】
【非特許文献】
【００１３】
【非特許文献１】International Telecommunication Union, “Interfaces for the optical transport network,” Recommendation ITU-T G.709/Y.1331, 2012年2月
【発明の概要】
【発明が解決しようとする課題】
【００１４】
上述したように、MSIは１マルチフレーム分のOTNフレームにおけるPSIバイトを集積して得られるものである。ゆえに、受信側のフレーム伝送装置がOTNフレームからクライアント信号を分離処理するためには、フレーム伝送装置は少なくとも１マルチフレーム分のOTNフレームの到着を待ってMSIを形成し、当該MSIを用いて１マルチフレームに含まれるOTNフレームからクライアント信号を分離していた。そのため、伝送装置は、少なくとも１マルチフレーム分のOTNフレームを蓄積する大きな受信バッファを備える必要があり、伝送装置の高コスト化、消費電力の増大を招いていた。
【００１５】
本発明は、このような問題に鑑みてなされたもので、その目的とするところは、大きな受信バッファを備える必要がないフレーム伝送装置および方法を提供することにある。また、低コスト化、低消費電力化したフレーム伝送装置および方法を提供することにある。
【課題を解決するための手段】
【００１６】
このような目的を達成するために、本発明は、光伝送ネットワーク（OTN）のフレームを送信および／または受信するフレーム伝送装置である。フレーム伝送装置は、マルチフレームを構成するOTNフレームを形成する際、少なくとも１つ前のマルチフレームを用いて送信したクライアント信号収容情報を用いて、ペイロードにクライアント信号を収容するように構成されている。すなわち、フレーム伝送装置は、マルチフレームを構成するOTNフレームのペイロードへクライアント信号を収容する際のクライアント信号収容情報を、少なくとも１つ前のマルチフレームでマルチフレーム化して送信するように構成されている。また、フレーム伝送装置は、マルチフレームを構成するOTNフレームからクライアント信号を分離する際、少なくとも１つ前のマルチフレームで受信したクライアント信号収容情報を用いて、マルチフレームを構成するOTNフレームのペイロードからクライアント信号を分離するように構成されている。
【００１７】
本発明の一態様は、OTNのフレームを送信するフレーム伝送装置であり、マルチフレームを構成する複数のOTNフレームのペイロードへクライアント信号を収容する際のクライアント信号収容情報を生成する手段と、第１のマルチフレームを構成する複数のOTNフレームのペイロードへクライアント信号を収容する際の第１のクライアント信号収容情報および第１のマルチフレームよりも後に送信される第２のマルチフレームを構成する複数のOTNフレームのペイロードへクライアント信号を収容する際の第２のクライアント信号収容情報を保持し、第１のクライアント信号収容情報に基づいて第１のマルチフレームを構成する複数のOTNフレームのペイロードへクライアント信号を収容し、第２のクライアント信号収容情報を分割して、第１のマルチフレームの複数のOTNフレームのオーバーヘッドに割り当てる手段とを備える。
【００１８】
また、本発明の一態様は、OTNのフレームを受信するフレーム伝送装置であり、受信したマルチフレームを構成する複数のOTNフレームのオーバーヘッドの少なくとも一部を順次バッファする手段と、順次バッファした複数のOTNフレームのオーバーヘッドから、マルチフレームを構成する複数のOTNフレームのペイロードにおけるクライアント信号の収容についてクライアント信号収容情報を生成する手段であって、第１のマルチフレームよりも後に受信する第２のマルチフレームを構成する複数のOTNフレームのペイロードにおけるクライアント信号の収容についてのクライアント信号収容情報を、第１のマルチフレームを構成する複数のOTNフレームのオーバーヘッドから生成する、手段と、マルチフレームを構成する複数のOTNフレームのペイロードからクライアント信号を分離する手段であって、第１のマルチフレームを構成する複数のOTNフレームのオーバーヘッドから生成したクライアント信号収容情報に基づいて、第２のマルチフレームを構成する複数のOTNフレームのペイロードからクライアント信号を分離する、手段とを備える。
【００１９】
さらに、本発明の一態様は、OTNのフレームを送受信するフレーム伝送装置であり、OTNのフレームを送信する機能およびOTNのフレームを受信する機能の双方を有する。
【００２０】
本発明の一態様は、OTNのフレームを送信するフレーム伝送方法である。
本発明の一態様は、OTNのフレームを受信するフレーム伝送方法である。
本発明の一態様は、OTNのフレームを送受信するフレーム伝送方法である。
一実施形態では、クライアント信号収容情報は、多重構造拡張子（MSI）である。
【発明の効果】
【００２１】
以上説明したように、本発明によれば、大きな受信バッファを備える必要のないフレーム伝送装置および方法を提供することができ、また低コスト化、低消費電力化したフレーム伝送装置および方法を提供することができる。
【図面の簡単な説明】
【００２２】
【図１】OTNのフレーム構造を説明する図である。
【図２】（ａ）はOTNフレーム構造をより詳細に説明する図であり、（ｂ）はOTNフレームにおけるFA OHの構成を示す図であり、（ｃ）は複数のOPU4 OHを用いて送信されるOPU4 OHの情報の構成を示す図である。
【図３】（ａ）〜（ｃ）は、従来のフレーム伝送装置のOTNフレーマにおけるクライアント信号分離処理を説明する図である。
【図４】（ａ）は本発明の一実施形態に係るフレーム伝送システムの構成を説明する図であり、（ｂ）は本発明の一実施形態に係るOTNフレーマの構成を説明する図である。
【図５】（ａ）は従来のOTNフレーム生成処理を説明する図であり、（ｂ）は本発明の一実施形態に係るOTNフレーム生成処理を説明する図である。
【図６】（ａ）〜（ｃ）は、本発明の一実施形態に係るクライアント信号の分離処理を説明する図である。
【発明を実施するための形態】
【００２３】
以下、図面を参照しながら本発明の実施形態について詳細に説明する。本実施形態のフレーム伝送装置は、OTNのフレーム（OTNの標準規格で特定（規定）されるフレーム）を伝送する装置である。OTNのフレームを送信するフレーム伝送装置は、マルチフレームを構成するOTNフレームを形成する際、少なくとも１つ前のマルチフレームを用いて送信したクライアント信号収容情報を用いて、ペイロードにクライアント信号を収容するように構成されている。すなわち、OTNのフレームを送信するフレーム伝送装置は、マルチフレームを構成するOTNフレームを形成する際、当該マルチフレームを構成するOTNフレームのペイロードにおけるクライアント信号の収容についてのクライアント信号収容情報（例えば、多重構造拡張子（MSI））を、少なくとも１つ前のマルチフレームを構成するOTNフレームを用いてマルチフレーム化して送信するように構成されている。
【００２４】
他方、光伝送ネットワーク（OTN）のフレームを受信するフレーム伝送装置は、マルチフレームを構成するOTNフレームからクライアント信号を分離する際、当該マルチフレームの少なくとも１つ前のマルチフレームを構成する複数のOTNフレームでマルチフレーム化されて受信したクライアント信号収容情報を用いて、当該マルチフレームを構成するOTNフレームのペイロードからクライアント信号を分離するように構成されている。
【００２５】
図４（ａ）は、本実施形態に係るフレーム伝送装置を含むフレーム伝送システムの構成を説明する図である。図４（ａ）の伝送システム４００は、複数のフレーム伝送装置Ａ４２０と，複数のフレーム伝送装置Ｂ４６０と、これらフレーム伝送装置を接続するネットワーク４４０とを備える。通常、フレーム伝送装置はOTNフレームを送信する機能と受信する機能の双方を備えるが、説明の簡略化のため、フレーム伝送装置Ａ４２０は送信機能のみを備えた構成であり、フレーム伝送装置Ｂ４６０は受信機能のみを備えた構成であるとして説明する。
【００２６】
送信側のフレーム伝送装置Ａ４２０は、図１に示した構成のOTNフレームにクライアント信号を収容するOTNフレーマ４２２と、OTNフレーマから出力された電気信号のOTNフレームを光信号に変換する光送信器（TX）４２４とを備える。また、フレーム伝送装置Ａ４２０は、通常は複数のOTNフレーマ４２２と光送信器４２４の組と、複数の光送信器から出力された波長の異なる光信号を波長多重する光波長多重（WDM）装置４２６とを備える。波長多重された光信号はネットワーク４４０へ送信される。
【００２７】
受信側のフレーム伝送装置Ｂ４６０は、ネットワーク４４０を解して受信した光信号を電気信号のOTNフレームに変換する光受信器（RX）４６４と、OTNフレームからクライアント信号を分離するOTNフレーマ４６２とを備える。また、フレーム伝送装置Ｂ４６０は、通常は複数のOTNフレーマおよび光受信器の組と、光波長多重装置（WDM）４６６とを備える。ネットワーク４４０を解して受信した光信号は波長多重されているため、光波長多重（WDM）装置４６６で単一の波長の光信号に分離される。それぞれの光信号は、光受信器４６４で電気信号のOTNフレームに変換された後、OTNフレーマ４６２でクライアント信号が分離される。
【００２８】
図４（ｂ）は、本実施形態に係るOTNフレーマの構成を説明する図である。なお、図４（ａ）の説明と異なり、普遍的な実装態様では、OTNフレーマはクライアント信号の収容機能と分離機能の双方を搭載される。従って、図４（ｂ）では、上記収容機能と分離機能の双方を搭載したOTNフレーマ（４２２，４６２）の構成を記載している。OTNフレーマ（４２２，４６２）は、光受信器４６４が出力した電気信号のOTNフレームを受信し、受信したOTNフレームを格納する受信バッファ４８６と、受信バッファに格納されたOTNフレームを受け取り、OTNフレームのOPUkペイロードに収容されているクライアント信号を分離する分離器４８８と、クライアント信号を受信してOPUkペイロードに格納し、所定のＯＨを付与してOTNフレームを形成して光送信器４２４に出力する多重器４８４と、制御部４８２とを備える。受信バッファ４８６は、受信したOTNフレームのOH(OPUk-OH、ODUk-OH、OTUk-OH、FA OH)のみを格納するOH受信バッファであってもよい。受信バッファ４８６が受信したOTNフレームのOHのみを格納する場合、受信したOTNフレームは受信バッファ４８６および分離器４８８へ並列して供給される。
【００２９】
先ず、図５を参照してOTNのフレームを送信するフレーム伝送装置におけるOTNフレーマにおけるクライアント信号の収容処理について詳述し、次いで図６を参照してOTN）のフレームを受信するフレーム伝送装置のOTMフレーマにおけるクライアント信号の分離処理について詳述する。
【００３０】
図５（ａ）は従来のOTNフレーム生成処理（収容処理）を説明する図であり、（ｂ）は本発明の一実施形態に係るOTNフレーム生成処理（収容処理）を説明する図である。なお、図４（ｂ）を参照して説明した本実施形態の送信側のフレーム伝送装置におけるOTNフレーマと同様に、従来の収容処理を行う送信側のフレーム伝送装置におけるOTNフレーマは、制御部と多重部を備える。
【００３１】
（収容処理）
従来の収容処理では、図５（ａ）に示すように、OTNフレーマの制御部は、クライアント信号の収容情報である８０バイトのMSIを含む２５６バイトのPSIを形成し、多重器へ提供する（ステップａ１）。次いで、OTNフレーマの多重器は、制御部から提供されたMSIに従い、OPUkペイロード１１２に受信したクライアント信号を収容するとともに、OPUkペイロードにOPUk OH１１４、ODUk OH１２４、OTUk OH１３４、OTUk FEC１３６およびFA OH２３０を付与し、OTNフレーム１３０を形成する（ステップａ２）。ここで、当該OTNフレーム１３０のOPUk OH１１４のPSIバイト２４２には、制御部から提供された８０バイトMSIを含む２５６バイトのPSIのうち、MFASの値に対応した１バイト分の情報が付与される。その後、OTNフレーマの多重器は、形成したOTNフレームを光送信器に出力する（ステップａ３）。このように、従来の収容処理では、OTNフレームのペイロードにおけるクライアント信号の収容についてのクライアント信号収容情報を、当該OTNフレームを構成要素とするマルチフレーム内の複数の２５６個のOTNフレームを用いてマルチフレーム化して送信する。
【００３２】
これに対して、本実施形態の収容処理では、図５（ｂ）に示すように、フレーム送信装置Ａ４２０のOTNフレーマ４２２の制御部４８２は、クライアント信号の収容情報である８０バイトのMSIを含む２５６バイトのPSIを形成し、多重器へ提供する（ステップＡ１）。次いで、OTNフレーマの多重器は、制御部から提供された最新のMSI（MSI-βとする。）およびMSI-βより以前に提供されたMSI（MSI-α）を保持する。OTNフレーマの多重器は、MSI-αに従い、OPUkペイロード１１２に受信したクライアント信号を収容するとともに、OPUkペイロードにOPUk OH１１４、ODUk OH１２４、OTUk OH１３４、OTUk FEC１３６およびFA OH２３０を付与し、OTNフレーム１３０を形成する（ステップＡ２）。ここで、当該OTNフレーム１３０のOPUk OH１１４のPSIバイト２４２には、制御部から提供された２５６バイトのPSIに含まれる８０バイトのMSI-αを同MSI-βに替えたPSIのうち、MFASの値に対応した１バイト分の情報が付与される。その後、OTNフレーマの多重器は、形成したOTNフレームを光送信器に出力する（ステップＡ３）。このように、本実施形態の収容処理では、OTNフレームのペイロードにおけるクライアント信号の収容についてのクライアント信号収容情報(MSI)を、当該OTNフレームを構成要素とするマルチフレームよりも以前のマルチフレーム内の複数の２５６個のOTNフレームを用いてマルチフレーム化して送信する。マルチフレームを構成するOTNフレームのペイロードにクライアント信号を収容する際は、当該マルチフレームよりも前に送信したマルチフレームを構成する複数のOTNフレームでマルチフレーム化して送信したクライアント信号収容情報(MSI)に基づいて収容処理を行う。
【００３３】
以上説明したように、従来の収容処理では、いずれのマルチフレームにおいても、MSIが示すクライアント信号収容情報と、OPUkペイロードに収容されたクライアント信号の収容状態との対応が一致する。図５（ａ）の例では、マルチフレーム１、２ではMSI-αが送られ、当該マルチフレームに含まれるOTNフレームのクライアント信号収容状態はMSI-αの情報と一致する。一方、マルチフレーム３ではMSI-βが送られ、マルチフレーム３に含まれるOTNフレームのクライアント信号収容状態は、MSI-βの情報と一致する。
【００３４】
これに対して、本実施形態の収容処理では、各マルチフレームでは、少なくとも１つ前のマルチフレームで送ったMSIを用いて、OPUkペイロードにクライアント信号が収容される。図５（ｂ）の例では、マルチフレーム２では、クライアント信号は１つ前のマルチフレーム１で送られたMSI-αに従ってOPUkペイロードに収容される一方、OPUk OHのPSIバイトには、最新のMSI-βを１バイトごとに分割した情報が収容される。
【００３５】
（分離処理）
従来の分離処理では、図３（ａ）〜（ｃ）を参照して説明したように、受信側のフレーム伝送装置のOTNフレーマでは、少なくとも１マルチフレーム分（すなわち２５６個）のOTNフレームを受信バッファに格納し（ステップｂ１）。次いで、１マルチフレーム分のOTNフレームのPSIバイトを集積して、２５６バイトのPSI（ＯＨ情報）を形成し、PSIに含まれる８０バイトのMSIを形成し（ステップｂ２）、その後、MSIに基づき、１マルチフレーム分のOTNフレームの各々からクライアント信号を分離する（ステップｂ３）。
【００３６】
これに対して、本実施形態の分離処理では、受信側のフレーム伝送装置４６０のOTNフレーマ４６２の受信バッファ４８６は、受信したOTNフレーム（のOH）を順次格納し、OTNフレーマの制御部４８２は、受信バッファに格納されたOTNフレームからMFASの値とPSIバイトを受け取り、MSIを含む256バイトのPSIを形成していく（ステップＢ１−１）（図６（ａ））。
【００３７】
OTNフレーマ４６０の制御部４８２は、受信したOTNフレームのMFASの値に基づき、マルチフレーム１周期分（すなわち２５６個）のOTNフレーム（のOH）が受信バッファに格納されたことを確認すると、MSI-βが正常に取得できたと認識し、MSIを分離器へ提供する（ステップＢ２）（図６（ｂ））。ここで、受信バッファは、マルチフレーム１周期分のOTNフレームを格納しておく必要はない。
【００３８】
受信したOTNフレーム（のOH）の格納に並行して、OTNフレーマ４６０の分離器４８８は、少なくとも１つ前のマルチフレームにより送られ、先に制御部４８２より提供されていたMSI-αに基づき、OTNフレームからクライアント信号を分離して出力する（ステップＢ１−１）（図６（ａ））。
【００３９】
OTNフレーマ４６０の分離器４８８は、制御部４８２から提供されたMSI-βに基づき、次に到達したマルチフレームに含まれるOTNフレームからクライアント信号を分離して出力する（ステップＢ３）（図６（ｃ））。
【００４０】
以上説明したように、本実施形態に係るフレーム伝送装置は、マルチフレームを構成するOTNフレームを形成する際、少なくとも１つ前のマルチフレームを用いて送信したクライアント信号収容情報（MSI）を用いて、ペイロードにクライアント信号を収容する。また、フレーム伝送装置は、マルチフレームを構成するOTNフレームからクライアント信号を分離する際、少なくとも１つ前のマルチフレームで送信されたクライアント信号収容情報（MSI）を用いて、ペイロードからクライアント信号を分離する。
【００４１】
本実施形態のフレーム伝送装置によれば、受信側のフレーム伝送装置（に備わるOTNフレーマ）は、OTNフレームの受信処理やOTNフレームからクライアント信号を分離する処理などに必要な最小限の受信バッファを備えていればよく、受信バッファのサイズは従来のフレーム伝送装置よりも小さくすることができる。すなわち、本実施形態に係る伝送装置は、大きな受信バッファを備える必要がなくなるため、伝送装置の低コスト化、低消費電力化が可能になる。さらには、大きな受信バッファを備えていなくとも、受信したすべてのOTNフレームからクライアント信号を分離できるようになる。
【００４２】
なお、図５や図６を用いた例では、MSIは、当該MSIに対応するクライアント信号の収容情報を用いてクライアント信号が収容されたマルチフレームの１つ前のマルチフレームを用いて送信することを説明していたが、これに限定されるものではない。例えば、送信側のフレーム伝送装置と受信側のフレーム伝送装置との間であらかじめMSIの事前送信タイミングが共有されているのであれば、MSIは１つ前のマルチフレームを用いて送信するだけでなく、さらにそれより前のマルチフレームを用いて送信するようにしてもよい。
【符号の説明】
【００４３】
１００  クライアント信号
１１０  ＯＰＵｋフレーム
１１２  ＯＰＵｋペイロード
１１４  ＯＰＵｋオーバーヘッド
１２０  ＯＤＵｋフレーム
１２４  ＯＤＵｋオーバーヘッド
１３０  ＯＴＵｋフレーム
１３４  ＯＴＵｋオーバーヘッド
１３６  ＯＴＵｋＦＥＣ
２３０  フレーム同期（ＦＡ）オーバーヘッド
２３２  フレーム同期信号（ＦＡＳ）
２３４  マルチフレーム同期信号（ＭＦＡＳ）
２４２  ペイロード構造識別子（ＰＳＩ）
２４４  多重構造拡張子（ＭＳＩ）
２４６  ＯＰＵマルチフレーム識別子（ＯＭＦＩ）
３００，４００  光伝送システム
３２０，３６０、４２０，４６０  伝送装置
３２２，３６２、４２２，４６２  ＯＴＮフレーマ
３４０，４４０  ネットワーク
３２４，４２４  光送信器
３２６，３６６，４２６，４６６  光波長多重装置
３６４，４６４  光受信器
３８２，４８２  制御部
４８４  多重器
３８６，４８６  ＯＨ受信バッファ
３８８，４８８  分離器
【要約】
【課題】大きな受信バッファを備える必要がないフレーム伝送方法を提供する。
【解決手段】受信側において、光伝送ネットワーク（OTN）の第１のマルチフレームについての第１のクライアント信号収容情報（MSI-α）に基づいて第１のマルチフレーム内の複数のOTNフレームのペイロードへクライアント信号を収容し、第１のマルチフレームよりも後に送信される第２のマルチフレームについての第２のクライアント信号収容情報を第１のマルチフレームの複数のOTNフレームのオーバーヘッドに割り当て送信する。受信側において、第１のマルチフレームを受信して、第１のマルチフレームを構成する複数のOTNフレームのオーバーヘッドから第２のクライアント信号収容情報を生成し、第２のクライアント信号収容情報に基づいて、後から受信する第２のマルチフレームからクライアント信号を分離する。
【選択図】図６【図１】
0006043417.tif 000002
【図２】
0006043417.tif 000003
【図３】
0006043417.tif 000004
【図４】
0006043417.tif 000005
【図５】
0006043417.tif 000006
【図６】
0006043417.tif 000007